(57)【要約】【課題】  携帯型の電子機器にも適したサイズと良好な電気特性実現との両立を図ることができるアンテナ装置を提供する。【解決手段】  アンテナ装置１０は、線状のアンテナ導体１１と、このアンテナ導体１１を収納する筐体１２とを備える。筐体１２は、アンテナ導体１１と連結されて当該アンテナ導体１１を巻き取る巻取部１４を有する。そして、巻取部１４には、アンテナの実効長を稼ぐために、パターンニング処理が施された所定のアンテナパターンＰＴが形成されており、アンテナ導体１１の基端部がアンテナパターンＰＴと電気的に接続されている。【選択図】  図３
2005101952.tif 000002
【特許請求の範囲】
【請求項１】
電子機器本体に対して着脱可能とされるアンテナ装置であって、
線状のアンテナ導体と、
上記アンテナ導体を収納する収納部とを備え、
上記収納部は、上記アンテナ導体と連結されて当該アンテナ導体を巻き取る巻取部を有し、
上記巻取部には、パターンニング処理が施された所定のアンテナパターンが形成されており、
上記アンテナ導体の基端部が上記アンテナパターンと電気的に接続されていること
を特徴とするアンテナ装置。
【請求項２】
上記収納部は、上記電子機器本体に対して回転可能に構成されていること
を特徴とする請求項１記載のアンテナ装置。
【請求項３】
上記収納部を構成する一の側壁に、上記アンテナパターンの端部と電気的に接続された給電用端子が設けられており、
上記収納部は、少なくとも上記給電用端子を介して上記電子機器本体との電気的な接続を保持すること
を特徴とする請求項２記載のアンテナ装置。
【請求項４】
上記巻取部に形成された上記アンテナパターンとの間に所定の静電容量を生じさせるために、上記巻取部と空間的に離隔された位置であって且つ少なくとも上記アンテナパターンが形成された当該巻取部の主面の一部領域が重複する位置にグラウンドが設けられており、
上記アンテナパターンは、上記収納部の外部に引き出した上記アンテナ導体の長さに応じて、上記グラウンドとの重複面積が可変となるように上記巻取部に形成されていること
を特徴とする請求項１記載のアンテナ装置。
【請求項５】
上記アンテナ導体は、所定の形状パターンをともなう線材として形成されていること
を特徴とする請求項１記載のアンテナ装置。
【請求項６】
上記アンテナ導体は、最大長まで上記収納部の外部に引き出された際に撓まない材料からなること
を特徴とする請求項１記載のアンテナ装置。
【請求項７】
本体に対してアンテナ装置が付設された電子機器であって、
上記アンテナ装置は、
線状のアンテナ導体と、
上記アンテナ導体を収納する収納部とを備え、
上記収納部は、上記アンテナ導体と連結されて当該アンテナ導体を巻き取る巻取部を有し、
上記巻取部には、パターンニング処理が施された所定のアンテナパターンが形成されており、
上記アンテナ導体の基端部が上記アンテナパターンと電気的に接続されていること
を特徴とする電子機器。
【請求項８】
上記収納部は、上記本体に対して回転可能に構成されていること
を特徴とする請求項７記載の電子機器。
【請求項９】
上記収納部を構成する一の側壁に、上記アンテナパターンの端部と電気的に接続された給電用端子が設けられており、
上記収納部は、少なくとも上記給電用端子を介して上記本体との電気的な接続を保持すること
を特徴とする請求項８記載の電子機器。
【請求項１０】
上記巻取部に形成された上記アンテナパターンとの間に所定の静電容量を生じさせるために、上記巻取部と空間的に離隔された位置であって且つ少なくとも上記アンテナパターンが形成された当該巻取部の主面の一部領域が重複する位置にグラウンドが設けられており、
上記アンテナパターンは、上記収納部の外部に引き出した上記アンテナ導体の長さに応じて、上記グラウンドとの重複面積が可変となるように上記巻取部に形成されていること
を特徴とする請求項７記載の電子機器。
【請求項１１】
上記アンテナ装置は、上記本体に対して着脱可能に構成されていること
を特徴とする請求項７記載の電子機器。
【請求項１２】
上記収納部は、上記本体の筐体であること
を特徴とする請求項７記載の電子機器。
【請求項１３】
上記アンテナ導体は、所定の形状パターンをともなう線材として形成されていること
を特徴とする請求項７記載の電子機器。
【請求項１４】
上記アンテナ導体は、最大長まで上記収納部の外部に引き出された際に撓まない材料からなること
を特徴とする請求項７記載の電子機器。
【発明の詳細な説明】
【技術分野】
【０００１】
本発明は、電子機器本体に対して着脱可能とされるアンテナ装置、及び本体に対してアンテナ装置が付設された電子機器に関する。
【背景技術】
【０００２】
従来から用いられている線状のアンテナ導体を伸縮自在に形成したアンテナ装置としては、例えば特許文献１に記載されているものがある。
【０００３】
【特許文献１】実開平５−４６１０５号公報
【０００４】
具体的には、この特許文献１には、伸縮可能なアンテナロッドと、このアンテナロッドの基端部が支持されたハウジングケースとを備えるアンテナ装置が開示されている。特に、このアンテナ装置は、アンテナロッドを伸縮させるためのローブと、このローブを出し入れするための下方を開放した収納部が形成された巻取ドラムと、この巻取ドラムの下端部が摩擦抵抗軽減用のグリスを介して摺接するプレート部材とを、ハウジングケースに備えるものである。これにより、このアンテナ装置においては、巻取ドラムのプレート部材に対する摩擦抵抗を軽減することができ、ローブの出し入れを確実にすることができるとしている。
【０００５】
また、アンテナ装置としては、異なる２種類のアンテナを接続してアンテナの実効長を稼ぐものも提案されている（例えば、特許文献２及び特許文献３参照。）。
【０００６】
【特許文献２】実開昭６２−６４０１３号公報
【特許文献３】特開平７−２８８４１３号公報
【０００７】
特許文献２には、アンテナの実効長を増す延長コイルをガイドパイプ内に収納したロッドアンテナが開示されている。また、特許文献３には、基端部が給電ケーブルに接続された巻線体と、基端部が巻線体の先端部に接続されるように当該巻線体の中空部内を通して筐体内に挿脱自在に収容された棒状のアンテナ素子とを備えるアンテナ装置が開示されている。
【０００８】
さらに、受信効率を高めるための技術を備えたアンテナ装置としては、例えば特許文献４に記載されているものがある。
【０００９】
【特許文献４】特開平５−５５８１７号公報
【００１０】
具体的には、この特許文献４には、電話機本体内に収納可能に設けられたアンテナ本体を、アンテナ基部とアンテナロッドとに分割し、アンテナ基部とアンテナロッドとをヒンジ機構を介して連結した携帯電話機用アンテナが開示されている。これにより、この携帯電話機用アンテナにおいては、携帯電話機を横置き状態にしていても、アンテナ性能の劣化がなく、携帯電話機の着呼率を確保することができるとしている。
【００１１】
さらにまた、例えば、携帯電話機等の移動体通信機やいわゆるＩＥＥＥ（Institute of Electronic and Electronics Engineers）８０２．１１規格の無線ＬＡＮ（Local Area Network）といった各種無線通信技術の開発が近年著しく進められているのにともない、これらに用いられるアンテナ装置も各種開発されている。
【００１２】
例えば、無線通信を行うためにパーソナルコンピュータ等の情報処理装置に対して着脱されるカード型通信デバイスに搭載されるアンテナ装置としては、例えば、図１４に示すようなループアンテナ１００や、図１５に示すようなロッドアンテナ１１０が知られている。また、アンテナ装置しては、特に図示しないが、機器本体の内部に設けられたプリント配線基板に表面実装し得るチップ状のアンテナ素子も知られている。
【発明の開示】
【発明が解決しようとする課題】
【００１３】
ところで、近年では、現行の地上波アナログ放送から地上波ディジタル放送へのテレビジョン放送の移行にともない、地上波ディジタル放送に対応したテレビジョンチューナをはじめとする各種電子機器に搭載するアンテナ装置の需要も高まりつつある。また、携帯型の電子機器によって地上波ディジタル放送を受信する要請も多々存在する。
【００１４】
ここで、地上波ディジタル放送対応の電子機器に要求されるアンテナ装置は、例えば４７０ＭＨｚ帯といった低周波数帯の電波を受信することが必要であり、且つ要求される帯域幅も極めて広いことから、上述した無線ＬＡＮや、いわゆるブルートゥース（Bluetooth（登録商標））といったＧＨｚ帯の周波数帯に用いられるアンテナ装置よりも原理的に大型となる。
【００１５】
しかしながら、アンテナ装置においては、小型化するのにともない放射特性が劣化することから、良好な特性を維持するために、サイズを大きくせざるを得ないという問題があり、特に携帯型の電子機器に搭載するにあたっては、小型化と特性維持という相反する要求を満足するものが存在していないのが現状である。
【００１６】
本発明は、このような実情に鑑みてなされたものであり、携帯型の電子機器にも適したサイズと良好な電気特性実現との両立を図ることができるアンテナ装置、及びこのアンテナ装置が付設された電子機器を提供することを目的とする。
【課題を解決するための手段】
【００１７】
上述した目的を達成する本発明にかかるアンテナ装置は、電子機器本体に対して着脱可能とされるアンテナ装置であって、線状のアンテナ導体と、上記アンテナ導体を収納する収納部とを備え、上記収納部は、上記アンテナ導体と連結されて当該アンテナ導体を巻き取る巻取部を有し、上記巻取部には、パターンニング処理が施された所定のアンテナパターンが形成されており、上記アンテナ導体の基端部が上記アンテナパターンと電気的に接続されていることを特徴としている。
【００１８】
このような本発明にかかるアンテナ装置は、アンテナ導体を巻取部によって巻き取ることによって当該アンテナ導体を収納部に効率的に収納する構成とされ、且つアンテナ導体の基端部を巻取部に形成した所定のアンテナパターンに電気的に接続することにより、アンテナの実効長を稼ぐことができる。
【００１９】
また、本発明にかかるアンテナ装置において、上記収納部は、上記電子機器本体に対して回転可能に構成されている。
【００２０】
これにより、本発明にかかるアンテナ装置においては、送受信することができる電波の偏波面を水平偏波と垂直偏波との間で任意に切り替えることができることから、電子機器本体の載置状態によっては本来送受信することができない偏波面を有する電波であっても、送受信することが可能となる。
【００２１】
このとき、本発明にかかるアンテナ装置においては、上記収納部を構成する一の側壁に、上記アンテナパターンの端部と電気的に接続された給電用端子が設けられており、上記収納部は、少なくとも上記給電用端子を介して上記電子機器本体との電気的な接続を保持する。
【００２２】
これにより、本発明にかかるアンテナ装置においては、電子機器本体に対して収納部を回転させた場合であっても、送受信に影響を与えることなく、当該電子機器本体との電気的な接続を適切に保持することができる。
【００２３】
さらに、本発明にかかるアンテナ装置においては、上記巻取部に形成された上記アンテナパターンとの間に所定の静電容量を生じさせるために、上記巻取部と空間的に離隔された位置であって且つ少なくとも上記アンテナパターンが形成された当該巻取部の主面の一部領域が重複する位置にグラウンドが設けられており、上記アンテナパターンは、上記収納部の外部に引き出した上記アンテナ導体の長さに応じて、上記グラウンドとの重複面積が可変となるように上記巻取部に形成されている。
【００２４】
これにより、本発明にかかるアンテナ装置は、静電容量が可変とされるコンデンサを備える回路と等価に構成される。したがって、本発明にかかるアンテナ装置においては、収納部の外部に引き出したアンテナ導体の長さに応じて、適切な静電容量が生じるようなアンテナパターンを巻取部に形成することにより、極めて簡便な構成のもとに、適切なインピーダンスの調整を行うことが可能となる。
【００２５】
なお、本発明にかかるアンテナ装置においては、アンテナの実効長を稼ぐために、上記アンテナ導体を、所定の形状パターンをともなう線材として形成するのが望ましい。
【００２６】
また、本発明にかかるアンテナ装置においては、特性の変化を生じさせないために、上記アンテナ導体として、最大長まで上記収納部の外部に引き出された際に撓まない材料からなるものを用いるのが望ましい。
【００２７】
また、上述した目的を達成する本発明にかかる電子機器は、本体に対してアンテナ装置が付設された電子機器であって、上記アンテナ装置は、線状のアンテナ導体と、上記アンテナ導体を収納する収納部とを備え、上記収納部は、上記アンテナ導体と連結されて当該アンテナ導体を巻き取る巻取部を有し、上記巻取部には、パターンニング処理が施された所定のアンテナパターンが形成されており、上記アンテナ導体の基端部が上記アンテナパターンと電気的に接続されていることを特徴としている。
【００２８】
このような本発明にかかる電子機器において、アンテナ装置は、アンテナ導体を巻取部によって巻き取ることによって当該アンテナ導体を収納部に効率的に収納することができ、且つアンテナ導体の基端部を巻取部に形成した所定のアンテナパターンに電気的に接続することにより、アンテナの実効長を稼ぐことができる。
【００２９】
また、本発明にかかる電子機器において、上記収納部は、上記本体に対して回転可能に構成されている。
【００３０】
これにより、本発明にかかる電子機器においては、アンテナ装置によって送受信することができる電波の偏波面を水平偏波と垂直偏波との間で任意に切り替えることができることから、本体の載置状態によっては本来送受信することができない偏波面を有する電波であっても、送受信することが可能となる。
【００３１】
このとき、本発明にかかる電子機器においては、上記収納部を構成する一の側壁に、上記アンテナパターンの端部と電気的に接続された給電用端子が設けられており、上記収納部は、少なくとも上記給電用端子を介して上記本体との電気的な接続を保持する。
【００３２】
これにより、本発明にかかる電子機器においては、本体に対してアンテナ装置の収納部を回転させた場合であっても、送受信に影響を与えることなく、当該本体との電気的な接続を適切に保持することができる。
【００３３】
さらに、本発明にかかる電子機器において、上記巻取部に形成された上記アンテナパターンとの間に所定の静電容量を生じさせるために、上記巻取部と空間的に離隔された位置であって且つ少なくとも上記アンテナパターンが形成された当該巻取部の主面の一部領域が重複する位置にグラウンドが設けられており、上記アンテナパターンは、上記収納部の外部に引き出した上記アンテナ導体の長さに応じて、上記グラウンドとの重複面積が可変となるように上記巻取部に形成されている。
【００３４】
これにより、本発明にかかる電子機器において、アンテナ装置は、静電容量が可変とされるコンデンサを備える回路と等価に構成される。したがって、本発明にかかる電子機器においては、アンテナ装置の収納部の外部に引き出したアンテナ導体の長さに応じて、適切な静電容量が生じるようなアンテナパターンを巻取部に形成することにより、極めて簡便な構成のもとに、適切なインピーダンスの調整を行うことが可能となる。
【００３５】
また、本発明にかかる電子機器においては、上記アンテナ装置を上記本体に対して着脱可能に構成することができ、これにより、アンテナ装置を複数の電子機器間で共用することも可能となり、取り扱いの便宜を向上させることができる。
【００３６】
さらに、本発明にかかる電子機器においては、上記収納部を上記本体の筐体としてもよい。すなわち、本発明にかかる電子機器においては、アンテナ装置と本体とを一体に構成するようにしてもよい。
【００３７】
なお、本発明にかかる電子機器においては、アンテナの実効長を稼ぐために、上記アンテナ装置の上記アンテナ導体を、所定の形状パターンをともなう線材として形成するのが望ましい。
【００３８】
また、本発明にかかる電子機器においては、アンテナとしての特性の変化を生じさせないために、上記アンテナ装置の上記アンテナ導体として、最大長まで上記収納部の外部に引き出された際に撓まない材料からなるものを用いるのが望ましい。
【発明の効果】
【００３９】
本発明は、極めて簡便な構成のもとに、携帯型の電子機器にも適したサイズにまで小型化を図ることができ、また、放射特性の劣化も招来することなく、良好な電気特性を実現することができる。
【発明を実施するための最良の形態】
【００４０】
以下、本発明を適用した具体的な実施の形態について図面を参照しながら詳細に説明する。
【００４１】
この実施の形態は、例えば、地上波ディジタル放送に対応したテレビジョンチューナをはじめとする各種電子機器本体に対して着脱可能とされるアンテナ装置である。特に、このアンテナ装置は、携帯型の小型電子機器本体に対しても好適に適用することができるサイズを実現するとともに、良好な電気特性も実現することができるものである。
【００４２】
具体的には、図１に外観を示すように、アンテナ装置１０は、所定の導電性ワイヤからなる線状のアンテナ導体１１と、このアンテナ導体１１を収納する収納部としての所定の形状からなる筐体１２とから構成される。アンテナ導体１１は、筐体１２の一部に穿設された開口部１２ａを介して、同図中矢印ａで示す方向へと伸縮自在に構成される。また、アンテナ導体１１には、アンテナの実効長を稼ぐために、筐体１２の外部に露呈する端部をアンテナの一部とすべく先端部１１ａが形成されている。さらに、アンテナ導体１１は、完全な直線材として形成するのではなく、例えば図２に示すように、微細な波形状等の所定の形状パターンをともなう線材として形成するようにしてもよい。なお、アンテナ導体１１としては、例えばステンレス鋼等の適度な弾性を有する材料を用いて構成することができるが、特性の変化を生じさせないために、最大長まで筐体１２の外部に引き出された際に撓まないものが望ましい。
【００４３】
このような外観からなるアンテナ装置１０は、その内部構成として、図３に示すように、筐体１２に固設された軸１３を中心に同図中ｂで示す方向へと回転可能に構成され、連結されたアンテナ導体１１を巻き取る巻取部１４を有する。この巻取部１４には、アンテナの実効長を稼ぐために、所定の導体によるパターンニング処理を施すことによって例えば渦巻き状や図４に示すようなミアンダ状といった所定のアンテナパターンＰＴが形成されており、アンテナ導体１１の基端部は、このアンテナパターンＰＴの端部１５と電気的に接続されている。
【００４４】
このようなアンテナ装置１０は、例えば図５に示すように、地上波ディジタル放送に対応した薄板状のテレビジョンチューナをはじめとする各種電子機器本体２０に対して着脱可能とされる。具体的には、アンテナ装置１０においては、図３中斜線部で示した筐体１２を構成する一の側壁ＳＷに、電子機器本体２０に対して装着するための図示しない給電用端子が設けられており、この給電用端子が、特に図示しないが軸１３に接続されたアンテナパターンＰＴの端部と電気的に接続するように構成されていることにより、当該給電用端子を介して、当該電子機器本体２０と電気的に接続される。
【００４５】
そして、アンテナ装置１０においては、不使用時には、図５に示すように、アンテナ導体１１を筐体１２の内部に収納することができる。また、アンテナ装置１０においては、使用時には、図６に示すように、アンテナ導体１１を同図中矢印ｃで示す方向へと筐体１２の外部に引き出し、アンテナパターンＰＴ、アンテナ導体１１、及び先端部１１ａからなる所望のアンテナ長に設定することにより、周波数調整を行うことができる。
【００４６】
また、アンテナ装置１０においては、図７に示すように、少なくとも給電用端子を介して電子機器本体２０との電気的な接続を保持したまま、筐体１２が、当該電子機器本体２０に対して、同図中矢印ｄで示す方向へと回転可能に構成される。すなわち、アンテナ装置１０は、電子機器本体２０に対して回転可能に構成されることにより、送受信することができる電波の偏波面を水平偏波と垂直偏波との間で任意に切り替えることができる。したがって、アンテナ装置１０においては、電子機器本体２０の載置状態によっては本来送受信することができない偏波面を有する電波であっても、電子機器本体２０に対する装着角度を当該偏波面に合わせた角度に設定することにより、送受信することが可能となる。なお、この回転機構は、例えばロータリージョイント等の既存の機構を任意に適用することができる。
【００４７】
さて、アンテナ装置１０は、上述したように、アンテナ導体１１及び先端部１１ａのみならず、巻取部１４に所定のアンテナパターンＰＴを形成することにより、アンテナの実効長を稼ぎ小型化を図るものであるが、本願出願人は、このような構成によって地上波ディジタル放送に対応することができるか否かの検証を目的とした実験を行っている。
【００４８】
実験は、実機を想定した基板に対して、所定の導電性ワイヤの基端部を巻取部に形成した所定のアンテナパターンに電気的に接続した簡易的なモノポールアンテナを搭載して行った。
【００４９】
まず、巻取部を設けない導電性ワイヤのみからなるモノポールアンテナをいわゆるＵＨＦ（Ultra High Frequency）帯の最低周波数である４７０ＭＨｚ帯に適用したとき、電圧定在波比（Voltage Standing Wave Ratio；ＶＳＷＲ）を所定値以下とするためには、１３０ｍｍのアンテナ長が必要であることが確認された。なお、この１３０ｍｍのアンテナ長とは、アンテナ装置１０においては筐体１２の外部に引き出したアンテナ導体１１の長さに相当するものであり、外部に露呈せずに筐体１２の内部に残存する部分も含めると、例えば１６０ｍｍ程度に相当する。図８(ａ)に、この実験で求められた帯域周波数（横軸）に対するＶＳＷＲ（縦軸）を示し、図８(ｂ)に、スミスチャートを示す。
【００５０】
これに対して、導電性ワイヤの基端部を巻取部に形成した所定のアンテナパターンに電気的に接続したモノポールアンテナを４７０ＭＨｚ帯に適用した場合に、ＶＳＷＲが所定値以下となる特性を得ることができる導電性ワイヤの長さを求めると、１３０ｍｍよりも短い長さで済むことが確認された。なお、図９(ａ)及び図９(ｂ)には、それぞれ、ある第１のアンテナパターンを巻取部に形成した場合における帯域周波数に対するＶＳＷＲと、スミスチャートとを示しており、この場合、９０ｍｍ（筐体の外部に引き出したアンテナ導体の長さに相当）の導電性ワイヤを用いれば足りるという結果が得られた。また、図１０(ａ)及び図１０(ｂ)には、それぞれ、ある第２のアンテナパターンを巻取部に形成した場合における帯域周波数に対するＶＳＷＲと、スミスチャートとを示しており、この場合、７０ｍｍ（筐体の外部に引き出したアンテナ導体の長さに相当）の導電性ワイヤを用いれば足りるという結果が得られた。
【００５１】
このように、所定の導電性ワイヤの基端部を巻取部に形成した所定のアンテナパターンに電気的に接続することは、アンテナ装置の小型化を図る上で有効であることがわかる。特に、本発明の実施の形態として示すアンテナ装置１０は、アンテナ導体１１を巻取部１４によって巻き取ることによって当該アンテナ導体１１を筐体１２の内部に収納する構成とされることから、極めて簡便な構成ながらも効率的なアンテナ導体１１の収納を実現することができ、小型化を図る上で有効である。そして、アンテナ装置１０は、サイズが極めてコンパクトであるにもかかわらず、ロッドアンテナといった他の大型アンテナと同様の特性を得ることができ、地上波ディジタル放送にも対応することができる。
【００５２】
ところで、一般にアンテナ装置は、コイルやコンデンサ等のマッチング素子を用いて、周辺環境とのインピーダンスの調整を行う必要がある。これらコイルやコンデンサによるアンテナ装置のマッチング定数は、周波数に依存することが知られているが、アンテナ長にも依存する。実際に、本願出願人は、コイル及びコンデンサによるアクティブマッチング回路を想定し、１６０ｍｍ、１１５ｍｍ、８８ｍｍの３種類のアンテナ長からなるモノポールアンテナについて、ＵＨＦ帯の各周波数におけるマッチング定数を求めている。この結果を図１１に示す。このように、マッチング定数は、周波数に応じて変化するとともに、アンテナ長に応じても変化する。したがって、アンテナ装置においては、適切なインピーダンスの調整を行うために、対応する周波数及び使用するアンテナ長に応じて、マッチング定数を決定する必要がある。
【００５３】
ここで、コイルのマッチング定数の調整は、比較的多数の大型素子を必要とすることから、小型化を図る上では回路的に難しいという問題がある。そのため、アンテナ装置においては、小型化を図りつつインピーダンスを調整するためには、コンデンサによる調整を行う方が容易である。
【００５４】
これらの事項を踏まえ、本願出願人は、極めて簡便な構成のもとに、適切にインピーダンスの調整を行うことができるアンテナ装置１０を考案した。
【００５５】
具体的には、アンテナ装置１０においては、図１２に示すように、巻取部１４と空間的に離隔された位置であって且つ少なくともアンテナパターンＰＴが形成された当該巻取部１４の主面の一部領域が重複する位置にグラウンド１６を設けることにより、巻取部１４に形成されたアンテナパターンＰＴとグラウンド１６との間に所定の静電容量を生じさせる。例えば、アンテナ装置１０においては、同図中斜線部で示すように、筐体１２の内部に所定の金属板を貼着することにより、巻取部１４と空間的に離隔され且つ少なくともアンテナパターンＰＴが形成された当該巻取部１４の主面の一部領域が重複するようにグラウンド１６を設けることができる。
【００５６】
また、アンテナ装置１０においては、筐体１２の外部に引き出したアンテナ導体１１の長さに応じて、すなわち、巻取部１４の回転角度に応じて、グラウンド１６との重複面積が可変となるようなアンテナパターンＰＴを巻取部１４に形成する。
【００５７】
すなわち、アンテナ装置１０としては、図１３に示すように、静電容量が可変とされるコンデンサＣを備える回路と等価に構成する。
【００５８】
これにより、アンテナ装置１０においては、筐体１２の外部に引き出したアンテナ導体１１の長さに応じて、適切な静電容量が生じるようなアンテナパターンＰＴを巻取部１４に形成することにより、極めて簡便な構成のもとに、適切なインピーダンスの調整を行うことが可能となる。
【００５９】
以上説明したように、本発明の実施の形態として示したアンテナ装置１０においては、所定の導電性ワイヤからなる線状のアンテナ導体１１を、筐体１２の内部に設けた巻取部１４と連結させて巻き取り可能とするとともに、アンテナ導体１１の基端部を、巻取部１４に形成された所定のアンテナパターンＰＴと電気的に接続することにより、極めて簡便な構成のもとに小型化を図ることができるにもかかわらず、放射特性の劣化も招来することなく、良好な電気特性を実現することができる。
【００６０】
特に、このアンテナ装置１０は、小型化、軽量化、及び高利得が要求される地上波ディジタル放送対応の携帯型の電子機器に用いるテレビジョンチューナに適用して最適である。
【００６１】
なお、本発明は、上述した実施の形態に限定されるものではない。例えば、上述した実施の形態では、アンテナ装置１０が電子機器本体２０に対して着脱可能に構成されるものとして説明したが、本発明は、アンテナ装置と電子機器本体とが一体に構成されている電子機器にも適用することができる。すなわち、本発明は、アンテナ導体を収納する収納部たるアンテナ装置の筐体を電子機器本体の筐体とし、アンテナ導体を収納部の外部に引き出して使用するような形態とすることもできる。このような形態は、例えばテレビジョン放送の受信をはじめとする各種通信機能を備えたノートブック型のパーソナルコンピュータに適用して好適である。
【００６２】
このように、本発明は、その趣旨を逸脱しない範囲で適宜変更が可能であることはいうまでもない。
【図面の簡単な説明】
【００６３】
【図１】本発明の実施の形態として示すアンテナ装置の外観構成を説明する斜視図である。
【図２】同アンテナ装置におけるアンテナ導体の要部を拡大した図である。
【図３】同アンテナ装置の内部構成を説明する斜視図である。
【図４】同アンテナ装置における巻取部の平面図であって、当該巻取部に形成されたアンテナパターンの例を説明するための図である。
【図５】同アンテナ装置を電子機器本体に対して装着した様子を説明する斜視図であって、不使用時の様子を説明するための図である。
【図６】同アンテナ装置を電子機器本体に対して装着した様子を説明する斜視図であって、使用時の様子を説明するための図である。
【図７】同アンテナ装置を電子機器本体に対して回転させた様子を説明する斜視図である。
【図８（ａ）】巻取部を設けない導電性ワイヤのみからなるモノポールアンテナを４７０ＭＨｚ帯に適用した場合に、ＶＳＷＲが所定値以下となる特性を得た実験結果を説明する図であって、帯域周波数に対するＶＳＷＲの関係を説明する図である。
【図８（ｂ）】図８(ａ)に対応するスミスチャートである。
【図９（ａ）】導電性ワイヤの基端部を巻取部に形成した第１のアンテナパターンに電気的に接続したモノポールアンテナを４７０ＭＨｚ帯に適用した場合に、ＶＳＷＲが所定値以下となる特性を得た実験結果を説明する図であって、帯域周波数に対するＶＳＷＲの関係を説明する図である。
【図９（ｂ）】図９(ａ)に対応するスミスチャートである。
【図１０（ａ）】導電性ワイヤの基端部を巻取部に形成した第２のアンテナパターンに電気的に接続したモノポールアンテナを４７０ＭＨｚ帯に適用した場合に、ＶＳＷＲが所定値以下となる特性を得た実験結果を説明する図であって、帯域周波数に対するＶＳＷＲの関係を説明する図である。
【図１０（ｂ）】図１０(ａ)に対応するスミスチャートである。
【図１１】３種類のアンテナ長からなるモノポールアンテナについて、ＵＨＦ帯の各周波数におけるマッチング定数を求めた結果を説明する図である。
【図１２】巻取部に形成されたアンテナパターンと空間的に重複するようにグラウンドを設けたアンテナ装置の内部構成を説明する斜視図である。
【図１３】図１２に示すアンテナ装置の等価回路を説明する図である。
【図１４】ループアンテナが搭載されているカード型通信デバイスの外観構成を説明する斜視図である。
【図１５】ロッドアンテナが搭載されているカード型通信デバイスの外観構成を説明する斜視図である。
【符号の説明】
【００６４】
１０  アンテナ装置
１１  アンテナ導体
１１ａ  先端部
１２  筐体
１２ａ  開口部
１３  軸
１４  巻取部
１５  端部
１６  グラウンド
ＰＴ  アンテナパターン
ＳＷ  側壁
【図１】
2005101952.tif 000003
【図２】
2005101952.tif 000004
【図３】
2005101952.tif 000005
【図４】
2005101952.tif 000006
【図５】
2005101952.tif 000007
【図６】
2005101952.tif 000008
【図７】
2005101952.tif 000009
【図８（ａ）】
2005101952.tif 000010
【図８（ｂ）】
2005101952.tif 000011
【図９（ａ）】
2005101952.tif 000012
【図９（ｂ）】
2005101952.tif 000013
【図１０（ａ）】
2005101952.tif 000014
【図１０（ｂ）】
2005101952.tif 000015
【図１１】
2005101952.tif 000016
【図１２】
2005101952.tif 000017
【図１３】
2005101952.tif 000018
【図１４】
2005101952.tif 000019
【図１５】
2005101952.tif 000020